(57)【要約】      （修正有）【課題】径の異なる種々のボーリングロッドを保持し得るロッドホルダを提供する。【解決手段】ロッドホルダ装置に固定されて直接ボーリングロッド１を挟持する一対のロッド挟持具５であって、接地面の形状が所定曲率のＲ形状とし、接地面表面に凹凸状の爪部を有した構造とし、さらに該ロッド挟持具５にはボーリングロッドとの接地面の形状が所定曲率のＲ形状でかつ接地面表面に爪部を有する一対の第１のロッド挟持具と、前記ロッド挟持具とは接地面の曲率が異なる一対の第２のロッド挟持具から構成され、第２のロッド挟持具は第１のロッド挟持部に取付可能であり、ボーリングロッドの径に応じて第１と第２のロッド挟持具から１つを選択してボーリングロッドの連結又は切り離し作業を行う。【選択図】図１
0003110307.tif 000002
【実用新案登録請求の範囲】
【請求項１】
地盤掘削用のボーリングロッドを挟持回転させることで連結されたロッド同士の螺合を解放するロッドホルダ装置に設けられ、ボーリングロッドと直接接して挟持する一対のロッド挟持具であって、ボーリングロッドとの接地面に凹凸の爪部を有するとともに、接地面の形状が所定曲率のＲ形状であることとし、該ロッド挟持具には前記挟持具とは曲率の異なる接地面を有し、かつ凹凸の爪部を有する一対のロッドホルダ挟持具が取付可能であって、ボーリングロッドの径の大きさに応じて前記２種類のロッド挟持具から１つを選択して作業を行うことが可能であることを特徴とするロッドホルダ装置におけるロッド挟持具。
【請求項２】
各ロッド挟持具の接地面の形状が、ボーリングロッドの中心に対し、１２°の角度をもって挟持する構成の所定曲率のＲ形状であることを特徴とする請求項１記載のロッド挟持具。
【請求項３】
各ロッド挟持具に設けられるボルト貫通のための孔部の断面形状が、略楕円形状であることを特徴とする請求項１及び２記載のドホルダ装置におけるロッド挟持具。
【考案の詳細な説明】
【技術分野】
【０００１】
本考案は、地面等の掘削に使用されるボーリングロッドを回収するに際し、ボーリングロッドを挟持し、さらに回転させることで各ボーリングロッドの螺合を開放するためのロッドホルダ装置に使用されるロッド挟持具に関する。
【背景技術】
【０００２】
従来、地面等の掘削は、先端にビット取付けたボーリングロッドを地中に打ち込み、順次ボーリングロッドを螺子結合により連結して行われているのが一般的である。そして掘削後は、螺合部を解除して１本ずつボーリングロッドを分解回収している。この際、ボーリングロッドの螺合部を解除するために、一方のボーリングロッドを固定するとともに、他方には挟持固定した上でその駆動により回転させて螺合を解除するロッドホルダ装置が使用される。このロッドホルダ装置は、該装置に設けられたロッド挟持具がボーリングロッドを挟持固定するとともに装置の駆動によって摺動運動することでボーリングロッドが回転し上部のボーリングロッドとの螺着が解放される。
【考案の開示】
【考案が解決しようとする課題】
【０００３】
しかしながら、従来のロッドホルダ装置のロッド挟持具においては、ボーリングロッドとの接地面の形状が平面であるために、ボーリングロッドと接する面が狭く、強い力で挟持固定することが困難であった。
【課題を解決するための手段】
【０００４】
上記課題を解決するために、請求項１記載の対をなすロッド挟持具は、ボーリングロッドとの接地面が凹凸状の爪部を有するとともに、ボーリングロッド外周に係合するような所定曲率のＲ形状であることする。また、該ロッド挟持具には、凹凸状の爪部を有し、かつ前記挟持具とは曲率の異なるＲ形状をした接地面を有した一対のロッドホルダ挟持具が着脱自在であって、ボーリングロッドの径の大きさに応じて前記２種類のロッド挟持具から１つを選択して作業を行うことを可能とする。
【０００５】
請求項２記載の考案は、各ロッド挟持具の接地面のＲ形状を、ボーリングロッドの中心に対し１２°の角度をもって挟持する形状とすることで、より強い力でボーリングロッドを固定することを可能とする。
【０００６】
請求項３記載の考案は、各ロッド挟持具に設けられ、ロッド挟持具とロッドホルダ装置の接続又はロッド挟持具同士の接続の際にボルトが貫通する孔部の断面形状を略楕円形状とすることで、ボルトによる各部材同士の固定力を高めることを可能とする。
【考案の効果】
【０００７】
本考案のロッドホルダ装置のロッド挟持具によれば、ボーリングロッドとの接地面の形状が凹凸の爪部を有するとともにボーリングロッド外周と契合するような所定曲率のＲ形状であるために、より多くの爪部がボーリングロッドと接することで各爪部にかかる力が分散するとともに、より少ない力で安定してボーリングロッドを挟持固定することが可能である。
【０００８】
また、前記ロッド挟持具には曲率の異なるＲ形状の接地面を有する第２のロッド挟持具が着脱自在であるため、２種類のロッド挟持具から１つを選択することで、径の異なる種々のボーリングロッドにも対応することが可能である。
【０００９】
請求項２の考案においては、各ロッド挟持具の接地面のＲ形状を、ボーリングロッドの中心に対し１２°の角度もって挟持することで、より強い力でボーリングロッドを挟持固定することが可能である。
【００１０】
請求項３の考案においては、ボルト貫通用孔部の断面形状が略楕円形状であるために、各部材同士の安定した固着力を得ることが可能である。
【考案を実施するための最良の形態】
【００１１】
より強い固定力でボーリングロッドを挟持固定することのできるロッド挟持具を得るという目的を、低コストで得ることを実現した。
【実施例１】
【００１２】
図１及び図２は、本考案の一実施例を示す半断面図であって、図３は請求項２記載のロッド挟持具を示す半断面図であり、図４は従来の一実施例を示す半断面図である。図５は、本考案のロッド挟持具の一実施例を示す平面図であり、図６は２種のロッド挟持具を接続した状態の一実施例を示す平面図である。図７及び図８は、本考案のロッド挟持具の一実施例を示す正面及び背面斜視図であり、図９は２種のロッド挟持具を接続した状態の一実施例を示す正面斜視図である。図１０は、ロッドホルダ装置の一実施例を示す平面図である。
【００１３】
図７及び図８のように、本考案のロッド挟持具は、ロッドホルダ装置５に接続される一対のロッド挟持具４と、ロッド挟持具４に接続される一対のロッド挟持具３から構成される。ロッド挟持具３は、ボーリングロッドとの接地面１１に凹凸状の爪部を有し、さらにボーリングロッド外周に係合するような所定曲率のＲ形状に形成される。また、上面及び下面の所定位置にはロッド挟持具４と接続するためのボルト貫通用孔部１０が形成される。ロッド挟持具３の内部には背面に開口部を有した空洞部１３が形成され、ロッド挟持部４前部が挿入可能な形状とする。
【００１４】
ロッド挟持具４は、ロッド挟持具３と同様に接地面１２に凹凸状の爪部を有し、さらにロッド挟持具３とは異なる曲率のＲ形状に形成される。上面及び下面の前部所定位置にはロッド挟持具４と接続するためのボルト貫通用孔部９が、後部所定位置にはロッドホルダ装置５と接続するためのボルト貫通用後部８が形成される。
【００１５】
ロッド挟持具４は、後部に設けられた開口部１４にロッドホルダ装置５の該当部を嵌合させて、ボルト貫通用孔部８においてボルト７によってロッドホルダ装置５に接続固定される。
【００１６】
図９はロッド挟持具３をロッド挟持具４に取付けた状態を示した図であり、ロッド挟持部４の前部をロッド挟持具３の空洞部１３に挿入させてボルト貫通用孔部１０及び９を係合し、ボルト６によってロッド挟持具４に固定される。
【００１７】
図２において、一対のロッド挟持具３はボルト７によってロッドホルダ装置５に固定されて、ロッドホルダ装置５の駆動によってボーリングロッド２を挟持する。この時、ロッド挟持具３のボーリングロッドとの接地面１２の形状が、凹凸状の爪部を有するとともに所定曲率のＲ形状であるため、複数の爪部がボーリングロッド２に接することで挟持固定することができる。
【００１８】
図１に示すように、ボーリングロッド１の径の大きさがロッド挟持具４の接地面に係合しない場合には、ロッド挟持具４前面に接地面の曲率の異なるロッド挟持具３を取付けることで対応することができる。
【００１９】
また、図３に示すように、一対のロッド挟持具３及び４のそれぞれの接地面１１及び１２のＲ形状を、ボーリングロッドの中心に対して１２°の角度をもって挟持するような形状とすれば、より強い力で挟持固定することが可能となる。
【００２０】
図１０は、ボーリング装置２０の一実施例の概略を示す平面図であり、この図に示すように、複数のボーリングロッドが螺合により連結されて地中に挿入されて地盤掘削等がなされる。ロッドホルダ装置５及びロッド挟持具２３によりボーリングロッド２１が挟持固定されるとともに、ロッドホルダ装置５の駆動により、ボーリングロッド２１が回転されて他のボーリングロッドとの連結及び切り離しが行われる。
【００２１】
ロッド挟持具３及び４の爪部は使用する度に磨耗していくが、その時は爪部を削って再度爪部を形成することで使用が可能となる。
【００２２】
図４は従来のロッド挟持具の一実施例を示す図であり、ロッド挟持具１６はロッドホルダ装置５にボルト１８によって固定され、ロッドホルダ装置５の駆動によりボーリングロッド１５を挟持する。ロッド挟持具の接地面の形状はボーリングロッド円周に対して平面状であるために、ボーリングロッドに接する接地面の爪部の数が少なくなってしまい、安定した力で挟持することが困難である。
【産業上の利用可能性】
【００２３】
本考案のロッドホルダ装置のロッド挟持部によれば、径の異なるボーリングロッドであっても挟持固定することが可能となる。
【図面の簡単な説明】
【００２４】
【図１】本考案の一実施例を示す半断面図である。
【図２】本考案の一実施例を示す半断面図である。
【図３】本考案の一実施例を示す半断面図である。
【図４】従来のロッド挟持具の一実施例を示す半断面図である。
【図５】本考案のロッド挟持具の一実施例を示す平面図である。
【図６】本考案の２種のロッド挟持具を接続した状態の一実施例を示す平面図である。
【図７】本考案のロッド挟持具の一実施例を示す正面斜視図である。
【図８】本考案のロッド挟持具の一実施例を示す背面斜視図である。
【図９】本考案の２種のロッド挟持具を接続した状態の一実施例を示す正面斜視図である。
【図１０】ボーリング装置の一実施例を示す平面図である。
【符号の説明】
【００２５】
１    ボーリングロッド
２    ボーリングロッド
３    ロッド挟持部
４    ロッド挟持部
５    ロッドホルダ装置
６    ボルト
７    ボルト
８    ボルト貫通用孔部
９    ボルト貫通用孔部
１０    ボルト貫通用孔部
１１    接地面
１２    接地面
１３    空洞部
１４    空洞部
１５    ボーリングロッド
１６    ロッド挟持部
１７    ロッドホルダ装置
１８    ボルト
２０    ボーリング装置
２１    ボーリングロッド
２２    ボーリングロッド
２３    ロッド挟持具
２４    ロッドホルダ装置取付部
【図１】
0003110307.tif 000003
【図２】
0003110307.tif 000004
【図３】
0003110307.tif 000005
【図４】
0003110307.tif 000006
【図５】
0003110307.tif 000007
【図６】
0003110307.tif 000008
【図７】
0003110307.tif 000009
【図８】
0003110307.tif 000010
【図９】
0003110307.tif 000011
【図１０】
0003110307.tif 000012